(57)【要約】【課題】  移動体端末間の映像データの伝送を行う映像伝送装置に係り、移動体端末から挿入する文字・静止画像・動画像の選択などの設定を可能とすることを課題とする。【解決手段】  移動体端末１から多重化されて伝送されてくる情報から、多重分離部２２により映像データと制御データを抽出し、映像制御部２３で、制御データが取込要求と判断した場合には、抽出した映像データを挿入データとしてデータ記憶部２５に取り込み、制御データが合成要求と判断した場合には、データ記憶部２５から読み出した挿入データを映像データに合成して、移動体端末３へ送信する。【選択図】        図８
2005341124.tif 000002
【特許請求の範囲】
【請求項１】
以下の要素を有することを特徴とする映像伝送装置
（１）合成対象となる挿入データを記憶しているデータ記憶部
（２）映像データと制御データを多重化した転送データを受信するデータ受信部
（３）受信した転送データから、映像データと制御データを抽出する多重分離部
（４）抽出した制御データが、挿入データを映像に合成する合成要求である場合に、データ記憶部に当該挿入データを出力させ、映像合成部に当該挿入データを映像データに合成して合成映像データを生成することを指示する映像制御部
（５）映像データを復号し、挿入データを復号された映像に合成し、合成した映像を符号化して合成映像データを生成する映像合成部
（６）生成した合成映像データを送信するデータ送信部。
【請求項２】
データ記憶部は、挿入データとして、文字、静止画像、あるいは動画像を記憶し、
映像合成部は、挿入データとして、文字、静止画像、あるいは動画像を映像に合成することを特徴とする請求項１記載の映像伝送装置。
【請求項３】
以下の要素を有することを特徴とする映像伝送装置
（１）映像データと制御データを多重化した転送データを受信するデータ受信部
（２）受信した転送データから、映像データと制御データを抽出する多重分離部
（３）抽出した制御データが、映像データを取り込む取込要求である場合に、抽出した映像データをデータ記憶部へ記憶させる映像制御部。
【請求項４】
合成対象となる挿入データを記憶しているデータ記憶部を有する映像伝送装置となるコンピュータに、以下の手順を実行させるためのプログラム
（１）映像データと制御データを多重化した転送データを受信する手順
（２）受信した転送データから、映像データと制御データを抽出する手順
（３）抽出した制御データが、挿入データを映像に合成する合成要求である場合に、データ記憶部に当該挿入データを出力させる手順
（４）映像データを復号し、挿入データを復号された映像に合成し、合成した映像を符号化して合成映像データを生成する手順
（５）生成した合成映像データを送信する手順。
【請求項５】
映像伝送装置となるコンピュータに、以下の手順を実行させるためのプログラム
（１）映像データと制御データを多重化した転送データを受信する手順
（２）受信した転送データから、映像データと制御データを抽出する手順
（３）抽出した制御データが、映像データを取り込む取込要求である場合に、抽出した映像データをデータ記憶部へ記憶させる手順。
【発明の詳細な説明】
【技術分野】
【０００１】
この発明は、伝送される動画像に、文字・静止画像・動画像を挿入する映像伝送装置に関するものである。
【背景技術】
【０００２】
従来の映像伝送装置の動画挿入システムにおいては、交換機と制御端末で構成している（例えば、特許文献１参照。）。
【０００３】
従来の映像伝送装置で以上のように構成されているので、挿入する文字・静止画像・動画像の選択などの設定を行うためには、交換機の制御装置にて操作しなければならず、移動体端末の使用者から制御できないなど、サービス提供面での問題点があった。
【特許文献１】特開２００２−０６４７９６号公報（第１図）
【発明の開示】
【発明が解決しようとする課題】
【０００４】
この発明は上記のような問題点を解消するためになされたもので、移動体端末から挿入する文字・静止画像・動画像の選択などの設定ができる映像伝送装置を得ることを目的とする。
【課題を解決するための手段】
【０００５】
本発明に係る映像伝送装置は、
以下の要素を有することを特徴とする
（１）合成対象となる挿入データを記憶しているデータ記憶部
（２）映像データと制御データを多重化した転送データを受信するデータ受信部
（３）受信した転送データから、映像データと制御データを抽出する多重分離部
（４）抽出した制御データが、挿入データを映像に合成する合成要求である場合に、データ記憶部に当該挿入データを出力させ、映像合成部に当該挿入データを映像データに合成して合成映像データを生成することを指示する映像制御部
（５）映像データを復号し、挿入データを復号された映像に合成し、合成した映像を符号化して合成映像データを生成する映像合成部
（６）生成した合成映像データを送信するデータ送信部。
【発明の効果】
【０００６】
この発明によれば、移動体端末から、挿入する文字・静止画像・動画像の選択などの設定を制御できるように構成したので、移動体端末の使用者の意図に合ったサービスの提供が得られる効果がある。
【発明を実施するための最良の形態】
【０００７】
実施の形態１．
この発明に係わる映像伝送装置は、移動体端末から多重化されて伝送されてくる情報から、音声・動画像のメディア情報と制御情報を分離し、分離した制御情報に従い、挿入する文字・静止画像・動画像の選択などの設定を制御できるようにしたものである。
【０００８】
以下本発明を図面に示す実施例に基づいて説明する。図１は、実施の形態１に係るモジュール構成を示す図である。
【０００９】
図１において、１と３は移動体端末、２は映像伝送装置である。２１は送受信部、２２は多重分離部、２３は映像制御部、２４は映像合成部、２５はデータ記憶部である。
【００１０】
送受信部２１は、移動体端末１から映像データと制御データを多重化した転送データを受信し、更に、移動体端末３へ合成映像データを送信するように構成されている。データ受信部及びデータ送信部の例である。
【００１１】
多重分離部２２は、受信した転送データから、映像データと制御データを抽出するように構成されている。
【００１２】
映像制御部２３は、抽出した制御データが、挿入データを映像に合成する合成要求である場合に、データ記憶部２５に当該挿入データ（文字・静止画像・動画像）を出力させ、映像合成部２４に当該挿入データを映像データに合成して合成映像データを生成することを指示するように構成されている。
【００１３】
映像合成部２４は、映像データを復号し、挿入データを復号された映像に合成し、合成した映像を符号化して合成映像データを生成するように構成されている。
【００１４】
データ記憶部２５は、合成対象となる挿入データ（文字・静止画像・動画像）を記憶している。
【００１５】
図２は、実施の形態１に係るデータフローを示す図であり、図３は、実施の形態１に係る処理フローを示す図である。これらの図を用いて、処理動作について説明する。
【００１６】
送受信部２１で、送信元の移動体端末１から転送データを受信すると（Ｓ３０１）、多重分離部２２により、映像データと制御データを抽出する（Ｓ３０２）。映像制御部２３は、制御データが合成要求か判断し（Ｓ３０３）、合成要求の場合には、データ記憶部２５から挿入データ（文字・静止画像・動画像）を出力させ（Ｓ３０４）、映像合成部２４に対して、合成映像データの生成を指示する。
【００１７】
映像合成部２４は、指示に従って、合成映像データの生成を指示する。図４は、映像合成部の構成を示す図である。復号部２４１により、映像データを復号し（Ｓ３０５）、合成部２４２により、映像へ挿入データ（文字・静止画像・動画像）を合成する（Ｓ３０６）。そして、符号化部２４３により合成した映像を符号化する（Ｓ３０７）。
【００１８】
そして、送受信部２１より、合成して映像データを送信先の移動体端末３へ送信する（Ｓ３０８）。
【００１９】
このように制御データを用いることにより、移動体端末から文字・静止画像・動画像を挿入させることができる。
【００２０】
実施の形態２．
次に、移動体端末から挿入データ（文字・静止画像・動画像）を映像伝送装置に記憶させる形態について説明する。
【００２１】
図５は、実施の形態２に係るモジュール構成を示す図である。
【００２２】
送受信部２１は、映像データと制御データを多重化した転送データを受信するように構成されている。
【００２３】
多重分離部２２は、受信した転送データから、映像データと制御データを抽出するように構成されている。
【００２４】
映像制御部２３は、抽出した制御データが、映像データを取り込む取込要求である場合に、抽出した映像データをデータ記憶部２５へ記憶させるように構成されている。
【００２５】
図６は、実施の形態２に係るデータフローを示す図であり、図７は、実施の形態２に係る処理フローを示す図である。
【００２６】
送受信部２１で、送信元の移動体端末１から転送データを受信すると（Ｓ７０１）、多重分離部２２により、映像データと制御データを抽出する（Ｓ７０２）。映像制御部２３は、制御データが取込要求か判断し（Ｓ７０３）、取込要求の場合には、抽出した映像データをデータ記憶部２５へ記憶させる。
【００２７】
このようにして、移動体端末から、映像データを挿入データとして映像伝送装置２に記憶させることができる。
【００２８】
実施の形態３．
図８は、実施の形態３に係るデータフローを示す図である。図に示すように、実施の形態２と実施の形態１の動作を連続することにより、別々の映像データを合成して、他の移動体端末３へ送信することが可能となる。
【００２９】
映像伝送装置２は、コンピュータであり、各要素はプログラムにより処理を実行することができる。また、プログラムを記憶媒体に記憶させ、記憶媒体からコンピュータに読み取られるようにすることができる。
【図面の簡単な説明】
【００３０】
【図１】実施の形態１に係るモジュール構成を示す図である。
【図２】実施の形態１に係るデータフローを示す図である。
【図３】実施の形態１に係る処理フローを示す図である。
【図４】映像合成部の構成を示す図である。
【図５】実施の形態２に係るモジュール構成を示す図である。
【図６】実施の形態２に係るデータフローを示す図である。
【図７】実施の形態２に係る処理フローを示す図である。
【図８】実施の形態３に係るデータフローを示す図である。
【符号の説明】
【００３１】
１  移動体端末、２  映像伝送装置、３  移動体端末、２１  送受信部、２２  多重分離部、２３  映像制御部、２４  映像合成部、２５  データ記憶部。
【図１】
2005341124.tif 000003
【図２】
2005341124.tif 000004
【図３】
2005341124.tif 000005
【図４】
2005341124.tif 000006
【図５】
2005341124.tif 000007
【図６】
2005341124.tif 000008
【図７】
2005341124.tif 000009
【図８】
2005341124.tif 000010